(57)【要約】【課題】基板検査装置及び基板検査方法が提供される。【解決手段】本開示による基板検査装置は、基板上の一領域に塗布されたコーティング膜に向かってレーザ光を照射する光源と、前記レーザ光が前記コーティング膜の表面により反射して生成された基準光及び前記レーザ光が前記コーティング膜を透過して散乱された測定光間の干渉による光干渉データを取得する光感知器と、前記光干渉データに基づいて前記一領域に該当する前記コーティング膜の厚さを導き出すプロセッサとを含むことができる。【選択図】図１
2019101038.tif 000002
【特許請求の範囲】
【請求項１】
基板上の一領域に塗布されたコーティング膜に向かってレーザ光を照射する光源と、
前記レーザ光が前記コーティング膜の表面により反射して生成された基準光及び前記レーザ光が前記コーティング膜を透過して散乱された測定光間の干渉による光干渉データを取得する光感知器と、
前記光干渉データに基づいて前記一領域に該当する前記コーティング膜の厚さを導き出すプロセッサと
を含む基板検査装置。
【請求項２】
前記プロセッサは、
前記光干渉データに基づいて前記コーティング膜の深さ方向への断面を示す断面イメージを取得し、
前記断面イメージ上の境界線に基づいて、前記コーティング膜の厚さを決定することを特徴とする請求項１に記載の基板検査装置。
【請求項３】
前記光源を移動させる移動部をさらに含むことを特徴とする請求項１に記載の基板検査装置。
【請求項４】
前記プロセッサは、
前記基準光の光量に基づいて前記コーティング膜の表面の反射率を導き出し、
前記反射率が既に定義された反射率未満である場合、前記移動部を制御して前記光源を移動させることを特徴とする請求項３に記載の基板検査装置。
【請求項５】
前記光源は、第１方向に沿って前記コーティング膜に向かって前記レーザ光を照射し、
前記光感知器は、前記第１方向の逆方向に進む前記基準光及び測定光をキャプチャーして前記光干渉データを取得することを特徴とする請求項１に記載の基板検査装置。
【請求項６】
前記光源は、前記レーザ光が空気以外の媒介体を透過せずに直接前記コーティング膜の前記表面に照射されるように配置されることを特徴とする請求項１に記載の基板検査装置。
【請求項７】
前記レーザ光に対する前記コーティング膜の表面の反射率は、前記コーティング膜に混合された蛍光染料の蛍光染料混合率により決定され、
前記蛍光染料混合率は、前記反射率が予め設定された基準値を超えるようにする値に設定されることを特徴とする請求項１に記載の基板検査装置。
【請求項８】
前記コーティング膜は、アクリル、ウレタン、ポリウレタン、シリコン、エポキシ、ＵＶ（Ｕｌｔｒａ  Ｖｉｏｌｅｔ）硬化物質及びＩＲ（Ｉｎｆｒａ  Ｒｅｄ）硬化物質の中で選択された少なくとも１つの物質により形成されることを特徴とする請求項１に記載の基板検査装置。
【請求項９】
前記コーティング膜の表面は曲面に形成されることを特徴とする請求項１に記載の基板検査装置。
【請求項１０】
基板上の一領域に塗布されたコーティング膜に向かってレーザ光を照射する段階と、
前記レーザ光が前記コーティング膜の表面により反射して生成された基準光及び前記レーザ光が前記コーティング膜を透過して散乱された測定光間の干渉による光干渉データを取得する段階と、
前記光干渉データに基づいて前記一領域に該当する前記コーティング膜の厚さを導き出す段階と、
を含む基板検査方法。
【請求項１１】
前記コーティング膜の厚さを導き出す段階は、
前記光干渉データに基づいて前記コーティング膜の深さ方向への断面を示す断面イメージを取得する段階と、
前記断面イメージ上の境界線に基づいて、前記コーティング膜の厚さを決定する段階と
を含むことを特徴とする請求項１０に記載の基板検査方法。
【請求項１２】
前記基準光の光量に基づいて前記コーティング膜の表面の反射率を導き出す段階と、
前記反射率が既に定義された反射率未満である場合、光源を移動させる段階と
をさらに含むことを特徴とする請求項１０に記載の基板検査方法。
【請求項１３】
前記レーザ光は、第１方向に沿って前記一領域に向かって照射され、前記基準光及び測定光は、前記第１方向の逆方向に進むことを特徴とする請求項１０に記載の基板検査方法。
【請求項１４】
前記レーザ光は、空気以外の媒介体を透過せずに直接前記コーティング膜の前記表面に照射されことを特徴とする請求項１０に記載の基板検査方法。
【請求項１５】
前記レーザ光に対する前記コーティング膜の表面の反射率は、前記コーティング膜に混合された蛍光染料の蛍光染料混合率により決定され、
前記蛍光染料混合率は、前記反射率が予め設定された基準値を超えるようにする値に設定されることを特徴とする請求項１０に記載の基板検査方法。
【請求項１６】
前記コーティング膜は、アクリル、ウレタン、ポリウレタン、シリコン、エポキシ、ＵＶ硬化物質及びＩＲ硬化物質の中で選択された少なくとも１つの物質により形成されることを特徴とする請求項１０に記載の基板検査方法。
【請求項１７】
前記コーティング膜の表面は曲面に形成されることを特徴とする請求項１０に記載の基板検査方法。
【発明の詳細な説明】
【技術分野】
【０００１】
本開示は、基板検査装置及び基板検査方法に関するものである。
【背景技術】
【０００２】
基板の処理工程において、基板上の素子を保護するために基板がコーティングされることがある。このようなコーティングをコンフォーマルコーティング（ｃｏｎｆｏｒｍａｌ ｃｏａｔｉｎｇ）ということができる。コーティングにより生成された基板上のコーティング膜が一定厚さで均一に塗布されたかを確認するために、コンフォーマルコーティング膜の厚さ検査が行われることができる。
【０００３】
コーティング膜の厚さ検査のために、２次元（２  Ｄｉｍｅｎｓｉｏｎａｌ）蛍光写真撮影検査が行われることができる。しかし、２次元イメージ撮影検査は、コーティング膜の厚さに対する定性的な検査のみ可能であり、コーティング膜の正確な厚さ数値を測定できないこともある。また、２次元イメージ撮影検査は、コーティング膜が薄い場合（例：約３０μｍ）、厚さ測定が難しいこともある。
【０００４】
コーティング膜の厚さの検査のために、ＯＣＴ（Ｏｐｔｉｃａｌ  Ｃｏｈｅｒｅｎｃｅ  Ｔｏｍｏｇｒａｐｈｙ）を用いた方法が用いられ得る。しかし、ＯＣＴを用いてコーティング膜の厚さ検査を行うときに、基準鏡による反射により光の飽和（ｓａｔｕｒａｔｉｏｎ）現象が発生して厚さ測定においてエラーを発生させ得る。また、ＯＣＴの基準鏡、ウインドーガラスないしビームスプリットなどの構成要素により、ＯＣＴの小型化が難しいこともある。
【発明の概要】
【発明が解決しようとする課題】
【０００５】
本開示は、前述の問題を解決するためのものであり、基板のコーティング膜の厚さを測定するための技術を提供する。
【課題を解決するための手段】
【０００６】
本開示の一側面として、基板検査装置が提案され得る。本開示の一側面による基板検査装置は、基板上の一領域に塗布されたコーティング膜に向かってレーザ光を照射する光源と、前記レーザ光が前記コーティング膜の表面により反射して生成された基準光及び前記レーザ光が前記コーティング膜を透過して散乱された測定光間の干渉による光干渉データを取得する光感知器と、前記光干渉データに基づいて前記一領域に該当する前記コーティング膜の厚さを導き出すプロセッサとを含むことができる。
【０００７】
一実施例において、プロセッサは、前記光干渉データに基づいて前記コーティング膜の深さ方向への断面を示す断面イメージを取得し、前記断面イメージ上の境界線に基づいて、前記コーティング膜の厚さを決定することができる。
【０００８】
一実施例において、光源を移動させる移動部をさらに含むことができる。
【０００９】
一実施例において、プロセッサは、前記基準光の光量に基づいて前記コーティング膜の表面の反射率を導き出し、前記反射率が既に定義された反射率未満である場合、前記移動部を制御して前記光源を移動させることができる。
【００１０】
一実施例において、光源は、第１方向に沿って前記コーティング膜に向かって前記レーザ光を照射し、前記光感知器は、前記第１方向の逆方向に進む前記基準光及び前記測定光をキャプチャーして前記光干渉データを取得することができる。
【００１１】
一実施例において、光源は、前記レーザ光が空気以外の媒介体を透過せずに直接前記コーティング膜の前記表面に照射されるように配置されることができる。
【００１２】
一実施例において、レーザ光に対する前記コーティング膜の表面の反射率は、前記コーティング膜に混合された蛍光染料の蛍光染料混合率により決定され、前記蛍光染料混合率は、前記反射率が予め設定された基準値を超えるようにする値に設定されることができる。
【００１３】
一実施例において、コーティング膜は、アクリル、ウレタン、ポリウレタン、シリコン、エポキシ、ＵＶ（Ｕｌｔｒａ  Ｖｉｏｌｅｔ）硬化物質及びＩＲ（Ｉｎｆｒａ  Ｒｅｄ）硬化物質の中で選択された少なくとも１つの物質により形成されることができる。
【００１４】
一実施例において、コーティング膜の表面は、曲面に形成されることができる。
【００１５】
本開示の一側面として、基板検査方法が提案され得る。本開示の一側面による基板検査方法は、基板上の一領域に塗布されたコーティング膜に向かってレーザ光を照射する段階と、前記レーザ光が前記コーティング膜の表面により反射して生成された基準光及び前記レーザ光が前記コーティング膜を透過して散乱された測定光間の干渉による光干渉データを取得する段階と、前記光干渉データに基づいて前記一領域に該当する前記コーティング膜の厚さを導き出す段階とを含むことができる。
【００１６】
一実施例において、コーティング膜の厚さを導き出す段階は、前記光干渉データに基づいて前記コーティング膜の深さ方向への断面を示す断面イメージを取得する段階と、前記断面イメージ上の境界線に基づいて、前記コーティング膜の厚さを決定する段階とを含むことができる。
【００１７】
一実施例において、基板検査方法は、基準光の光量に基づいて前記コーティング膜の表面の反射率を導き出す段階と、前記反射率が既に定義された反射率未満である場合、前記光源を移動させる段階とをさらに含むことができる。
【００１８】
一実施例において、レーザ光は、第１方向に沿って前記一領域に向かって照射され、前記基準光及び前記測定光は、前記第１方向の逆方向に進むことができる。
【００１９】
一実施例において、レーザ光は、空気以外の媒介体を透過せずに直接前記コーティング膜の前記表面に照射されることができる。
【００２０】
一実施例において、レーザ光に対する前記コーティング膜の表面の反射率は、前記コーティング膜に混合された蛍光染料の蛍光染料混合率により決定され、前記蛍光染料混合率は、前記反射率が予め設定された基準値を超えるようにする値に設定されることができる。
【００２１】
一実施例において、コーティング膜は、アクリル、ウレタン、ポリウレタン、シリコン、エポキシ、ＵＶ硬化物質及びＩＲ硬化物質の中で選択された少なくとも１つの物質により形成されることができる。
【００２２】
一実施例において、コーティング膜の表面は、曲面に形成されることができる。
【発明の効果】
【００２３】
本開示の多様な実施例によると、基板検査装置は、コーティング膜が所定厚さ（例：約３０μｍ）以下として薄い場合にも正確な厚さ測定が可能である。
【００２４】
本開示の多様な実施例によると、基板検査装置は、基準鏡などの構成要素なしで、コーティング膜の厚さを測定して光の飽和現象による測定エラーを減らすことができる。
【００２５】
本開示の多様な実施例によると、基板検査装置は、特定領域のサンプリングを通じて基板全体のコーティング膜の厚さの測定に要される時間を短縮することができる。
【図面の簡単な説明】
【００２６】
【図１】ある１つの実施例による基板検査装置が動作する過程の一実施例を示す図である。
【図２】本開示による基板検査装置が動作する過程の一実施例を示す図である。
【図３】本開示の多様な実施例による検査装置１０のブロック図を示す図である。
【図４】本開示の一実施例による、断面イメージ及び断面イメージ上に示される境界線を示す図である。
【図５】本開示の一実施例による検査装置１０の深さ方向の測定範囲を示す図である。
【図６】本開示の一実施例による、プロセッサ１１０が複数の境界線に基づいてコーティング膜の厚さを導き出す過程を示す図である。
【図７】本開示の一実施例による、プロセッサ１１０が所定基準に従って一部境界線を除外する過程を示す図である。
【図８】本開示の一実施例による、コーティング膜の反射率に基づいた厚さ測定領域の調整過程を示す図である。
【図９】本開示の一実施例による、検査装置１０が蛍光染料を用いた写真撮影検査を通じて、ＯＣＴパート１７０による厚さ測定を行う領域をサンプリングする過程を示す図である。
【図１０】本開示の一実施例による、検査装置１０が素子配列により、ＯＣＴパート１７０による厚さ測定を行う領域を追加でサンプリングする過程を示す図である。
【図１１】本開示の一実施例による、検査装置１０が欠陥領域により、ＯＣＴパート１７０による厚さ測定を行う領域を追加でサンプリングする過程を示す図である。
【図１２】本開示の一実施例による、検査装置１０がＯＣＴパート１７０による厚さ測定を行う領域の隣接領域を追加でサンプリングする過程を示す図である。
【図１３】本開示による検査装置１０により行われ得る、基板検査方法の一実施例を示す図である。
【発明を実施するための形態】
【００２７】
本文書に記載された多様な実施例は、本開示の技術的思想を明確に説明する目的で例示されたものであり、これを特定の実施形態に限定しようとするものではない。本開示の技術的思想は、本文書に記載された各実施例の多様な変更（ｍｏｄｉｆｉｃａｔｉｏｎｓ）、均等物（ｅｑｕｉｖａｌｅｎｔｓ）、代替物（ａｌｔｅｒｎａｔｉｖｅｓ）及び各実施例の全部または一部から選択的に組み合わせた実施例を含む。また、本開示の技術的思想の権利範囲は、以下に提示される多様な実施例やこれに関する具体的説明に限定されない。
【００２８】
技術的または科学的な用語を含み、本文書で用いられる用語は、別途に定義されない限り、本開示が属する技術分野で通常の知識を有する者に一般に理解される意味を有し得る。
【００２９】
本文書で用いられる「含む」、「含むことができる」、「備える」、「備えることができる」、「有する」、「有することができる」等のような表現は、対象になる特徴（例：機能、動作または構成要素など）が存在することを意味し、他の追加の特徴の存在を排除しない。即ち、このような表現は、他の実施例を含む可能性を内包する開放型用語（ｏｐｅｎ−ｅｎｄｅｄ  ｔｅｒｍｓ）と理解されるべきである。
【００３０】
本文書で用いられる単数形の表現は、文脈上異って意味しない限り、複数形の意味を含み得、これは請求項に記載された単数形の表現にも同様に適用される。
【００３１】
本文書で用いられる「第１」、「第２」、または「第１に」、「第２に」等の表現は、文脈上異なって意味しない限り、複数の同種対象を指すにおいて、ある対象を他の対象と区分するために用いられ、当該対象間の順序または重要度を限定するものではない。
【００３２】
本文書で用いられる「Ａ、Ｂ、及びＣ」、「Ａ、Ｂ、またはＣ」、「Ａ、Ｂ、及び／またはＣ」または「Ａ、Ｂ、及びＣのうち、少なくとも１つ」、「Ａ、Ｂ、またはＣのうち、少なくとも１つ」、「Ａ、Ｂ、及び／またはＣのうち、少なくとも１つ」等の表現は、それぞれの羅列された項目または羅列された項目の可能な全ての組み合わせを意味することができる。例えば、「ＡまたはＢのうち、少なくとも１つ」は、（１）少なくとも１つのＡ、（２）少なくとも１つのＢ、（３）少なくとも１つのＡ及び少なくとも１つのＢをいずれも指すことができる。
【００３３】
本文書で用いられる「部」という表現は、ソフトウェア、またはＦＰＧＡ（ｆｉｅｌｄ−ｐｒｏｇｒａｍｍａｂｌｅ  ｇａｔｅ  ａｒｒａｙ）、ＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）のようなハードウェアの構成要素を意味することができる。しかし、「部」は、ハードウェア及びソフトウェアに限定されるものではない。「部」は、アドレッシングできる格納媒体に格納されているように構成されることもでき、１つまたはそれ以上のプロセッサを実行させるように構成されることもできる。一実施例において、「部」はソフトウェア構成要素、オブジェクト指向ソフトウェア構成要素、クラス構成要素及びタスク構成要素のような構成要素と、プロセッサ、関数、属性、プロシーザー、サブルーチン、プログラムコードのセグメント、ドライバ、ファームウェア、マイクロコード、回路、データ、データベース、データ構造、テーブル、アレイ及び変数を含むことができる。
【００３４】
本文書で用いられる「〜に基づいて」という表現は、当該表現が含まれる語句または文章で記述される、決定、判断の行為または動作に影響を与える１つ以上の因子を記述するのに用いられ、この表現は当該決定、判断の行為または動作に影響を与える追加の因子を排除しない。
【００３５】
本文書で用いられる、ある構成要素（例：第１構成要素）が他の構成要素（例：第２構成要素）に「連結されて」いるとか「接続されて」いるという表現は、前記ある構成要素が前記他の構成要素に直接的に連結または接続されていることだけでなく、新たな他の構成要素（例：第３構成要素）を介して連結または接続されていることを意味することができる。
【００３６】
本文書で用いられた表現「〜するように構成された（ｃｏｎｆｉｇｕｒｅｄ  ｔｏ）」は、文脈により、「〜するように設定された」、「〜する能力を有する」、「〜するように変更された」、「〜するように作られた」、「〜をすることができる」等の意味を有し得る。当該表現は、「ハードウェア的に特別に設計された」という意味に制限されず、例えば、特定動作を行うように構成されたプロセッサとは、ソフトウェアを実行することによりその特定動作を行うことができる汎用プロセッサ（ｇｅｎｅｒｉｃ−ｐｕｒｐｏｓｅ  ｐｒｏｃｅｓｓｏｒ）を意味することができる。
【００３７】
本開示の多様な実施例を説明するために、互いに直交するＸ軸、Ｙ軸及びＺ軸を有する直交座標系が定義され得る。本文書で用いられる、直交座標系の「Ｘ軸方向」、「Ｙ軸方向」、「Ｚ軸方向」等の表現は、当該説明で特に異なって定義されない限り、直交座標系の各軸が延びる両方の方向を意味することができる。また、各軸方向の前に付く＋符号は、当該軸方向に延びる両方の方向のいずれか１つの方向である正の方向を意味することができ、各軸方向の前に付く−符号は、当該軸方向に延びる両方の方向のうち残りの１つの方向である負の方向を意味することができる。
【００３８】
本開示において、基板（ｓｕｂｓｔｒａｔｅ）は、半導体チップなどの素子を実装する板ないし容器であって、素子と素子間の電気的信号の連結通路の役割を行うことができる。基板は集積回路の製作などのために用いられることができ、シリコンなどの素材で生成され得る。例えば、基板は、印刷回路基板（ＰＣＢ、Ｐｒｉｎｔｅｄ  Ｃｉｒｃｕｉｔ  Ｂｏａｒｄ）であってもよく、実施例によりウエハ（ｗａｆｅｒ）等と呼ばれることができる。
【００３９】
本開示において、コーティング膜は、基板上の素子を保護するためのコーティングにより、基板上に生成される薄膜であってもよい。コーティング膜が厚い場合、膜が割れることがあり、基板の動作に影響を与えることもあるため、コーティング膜を相対的に薄くて均一に塗布することにより、コーティング膜が割れることを防止する必要がある。一実施例において、コーティング膜は、アクリル、ウレタン、ポリウレタン、シリコン、エポキシ、ＵＶ（Ｕｌｔｒａ  Ｖｉｏｌｅｔ）硬化物質及びＩＲ（Ｉｎｆｒａ  Ｒｅｄ）硬化物質の中で選択された少なくとも１つの物質により形成されることができる。前述の物質により形成されたコーティング膜は、そうでないコーティング膜に比べて、後述のコーティング膜の表面の反射率及び／またはコーティング膜の後方散乱率が高いことがある。
【００４０】
本開示において、ＯＣＴ（Ｏｐｔｉｃａｌ  Ｃｏｈｅｒｅｎｃｅ  Ｔｏｍｏｇｒａｐｈｙ）は、光の干渉現象を用いて対象体内のイメージをキャプチャーする映像技術であってもよい。ＯＣＴを用いて対象体の表面から深さ方向への対象体の内部を示すイメージが取得され得る。一般に干渉計を基盤とし、用いる光の波長により、対象体に対する深さ方向の分解能が変わり得る。他の光学技術である共焦点顕微鏡（ｃｏｎｆｏｃａｌ  ｍｉｃｒｏｓｃｏｐｅ）に比べて対象体にさらに深く浸透し、イメージを取得することができる。
【００４１】
以下、添付の図面を参照して、本開示の多様な実施例を説明する。添付の図面及び図面に関する説明において、同一であるか、実質的に同等の（ｓｕｂｓｔａｎｔｉａｌｌｙ  ｅｑｕｉｖａｌｅｎｔ）構成要素には、同一の参照符号が付与され得る。また、以下、多様な実施例の説明において、同一であるか、対応する構成要素を重複して記述することが省略され得るが、これは当該構成要素がその実施例に含まれないことを意味するものではない。
【００４２】
図１は、ある１つの実施例による基板検査装置が動作する過程の一実施例を示す図である。図示された実施例による基板検査装置は、基準鏡を用いるタイプの基板検査装置であってもよい。図示された実施例において、基板検査装置は、光源１５０、光感知器１６０、基準鏡１７２及び／またはビームスプリット１７１をさらに含むことができる。
【００４３】
基準鏡を用いる基板検査装置において、ビームスプリット１７１は、光源１５０から照射されたレーザ光の光路を調整し、基準鏡１７２は、ビームスプリット１７１から伝達されたレーザ光を反射して基準光を生成することができる。図示された実施例による基板検査装置において、レーザ光は、基板２のコーティング膜により反射して測定光を生成することができる。基準光と測定光の干渉光から光干渉データが取得されることができ、基板検査装置は、光干渉データから断面イメージを生成してコーティング膜の厚さを測定することができる。
【００４４】
具体的には、光源１５０は、レーザ光を照射することができる。一実施例において、光源１５０は、ビームスプリット１７１に向かってレーザ光を直接照射することができる。一実施例において、光源１５０は、光繊維１７４を介してレーザ光を凸レンズ１７３に伝達し、凸レンズ１７３を通過したレーザ光がビームスプリット１７１に向かって伝達されることができる。
【００４５】
ビームスプリット１７１は、光源１５０から伝達されたレーザ光の一部を通過させて基板２のコーティング膜に向かうように光路を調整し、また、レーザ光の他の一部を反射させて基準鏡１７２に向かうように光路を調整することができる。
【００４６】
基板２のコーティング膜に向かうように光路が調整されたレーザ光の一部は、基板２のコーティング膜で反射することができる。この反射光は測定光といえる。測定光は、ビームスプリット１７１に向かって進み、ビームスプリット１７１により光感知器１６０に伝達されることができる。基準鏡１７２に向かうように光路が調整されたレーザ光の他の一部は、基準鏡１７２により反射することができる。この反射光は基準光といえる。基準光は、ビームスプリット１７１を通過して光感知器１６０に伝達されることができる。
【００４７】
光感知器１６０は、測定光と基準光が互いに干渉して形成される干渉光をキャプチャーして光干渉データを取得することができる。本開示において、光干渉データはＯＣＴ方式による対象体の測定において、照射された光が対象体から反射した測定光と、照射された光が基準鏡などから反射した基準光が互いに干渉されて生成される干渉光から取得されるデータを意味することができる。測定光と基準光の特性（光路、波長など）の差により干渉現象が発生することができ、光感知器は、この干渉現象をキャプチャーして光干渉データを取得することができる。また、光干渉データに基づいて、コーティング膜の深さ方向への断面を示す断面イメージが生成され得る。光干渉データは、干渉信号と呼ばれることもある。基準鏡を用いる基板検査装置は、基準光及び測定光による光干渉データを用いて基板２に塗布されたコーティング膜の厚さを導き出すことができる。
【００４８】
図２は、本開示による基板検査装置が動作する過程の一実施例を示す図である。本開示による基板検査装置は、多様な実施例による検査装置１０により具現され得る。本開示による基板検査装置は、前述のような基準鏡を用いないタイプの基板検査装置であってもよい。
【００４９】
本開示の多様な実施例による検査装置１０は、ＯＣＴを用いて基板２のコーティング膜の厚さを測定することができる。一実施例において、検査装置１０は、前述の基準鏡や所定のウインドーガラスなどを用いずに、コーティング膜の表面の反射光を用いて、コーティング膜の厚さを測定することができる。
【００５０】
具体的には、本開示による検査装置１０は、基準鏡１７２やビームスプリット１７１なしに、光源１５０及び／または光感知器１６０を含むことができる。検査装置１０の光源１５０は、基板２のコーティング膜に向かってレーザ光を照射することができる。このとき、第１方向に沿ってレーザ光が照射されることができる。第１方向は、基板の法線方向から所定の角度に傾いた直線に対応する方向であってもよい。実施例により、第１方向は基板の法線方向と同じであってもよい。基板の法線方向に対応する軸はｚ軸といえる。ｚ軸方向とは、コーティング膜の深さ方向に対応する方向であり得る。前述の通り、光源１５０が直接レーザ光を照射してもよいが、光ファイバー１７４及び／または凸レンズ１７３を介してレーザ光を照射してもよい。
【００５１】
本開示において、ｘ軸とｙ軸はそれぞれ、基板２の表面に対応する平面に含まれる軸であってもよい。ｘ軸とｙ軸は、当該平面上で互いに直交することができる。また、ｘ軸とｙ軸のそれぞれは、前述のｚ軸に直交することができる。
【００５２】
レーザ光は、コーティング膜の表面で反射することができる。具体的にレーザ光は、図示された第１面で反射することができる。また、レーザ光はコーティング膜を透過して後方散乱されることができる。ここで、コーティング膜の表面で反射した反射光は前述の基準光の役割を、散乱光は前述の測定光の役割をすることができる。即ち、この場合基準光は、レーザ光がコーティング膜の表面により反射して生成され、測定光は、レーザ光がコーティング膜を透過して散乱されて生成され得る。反射光（即ち、基準光）及び散乱光（即ち、測定光）は、前述の第１方向の逆方向に進み、干渉光を形成することができる。即ち、照射されたレーザ光と前述の干渉光（即ち、反射光及び散乱光）は、同軸に沿って進むものの、互いに反対方向に進むことができる。光感知器は、第１方向の逆方向に進む干渉光（即ち、反射光及び散乱光）をキャプチャーすることができる。光感知器１６０は、キャプチャーした干渉光から光干渉データを取得することができる。プロセッサ１１０は、この光干渉データを光感知器１６０から取得し、これに基づいて断面イメージを生成して、基板２の当該領域に塗布されたコーティング膜の厚さを導き出すことができる。
【００５３】
前述の通り、本開示による検査装置１０がコーティング膜の厚さを測定するにおいて、前述の反射光と散乱光はそれぞれ、前述の基準鏡を用いる基板検査装置の基準光及び測定光の役割を行うことができる。言い換えれば、基板２のコーティング膜自体が、その反射率によって前述の基準鏡１７２の役割を行うことができる。一実施例において、検査装置１０は、基板２のコーティング膜上にウインドーガラスなど追加の構成要素を配置しなくてもよい。本開示による検査装置１０は、コーティング膜の表面により反射した反射光を基準光として用いて干渉光を形成するため、ウインドーガラスなどの要素が追加で要されないことがある。
【００５４】
図３は、本開示の多様な実施例による検査装置１０のブロック図を示す図である。前述の通り、検査装置１０は、光源１５０及び光感知器１６０を含むことができ、追加でプロセッサ１１０及びメモリ１２０を含むことができる。一実施例において、検査装置１０のこの構成要素のうち、少なくとも１つが省略されたり、他の構成要素が検査装置１０に追加されたりすることができる。追加で（ａｄｄｉｔｉｏｎａｌｌｙ）または代替として（ａｌｔｅｒｎａｔｉｖｅｌｙ）、一部の構成要素が統合されて具現されたり、単数または複数の個体で具現されたりすることができる。検査装置１０の内、外部の構成要素のうち、少なくとも一部の構成要素は、バス、ＧＰＩＯ（ｇｅｎｅｒａｌ  ｐｕｒｐｏｓｅ  ｉｎｐｕｔ／ｏｕｔｐｕｔ）、ＳＰＩ（ｓｅｒｉａｌ  ｐｅｒｉｐｈｅｒａｌ  ｉｎｔｅｒｆａｃｅ）またはＭＩＰＩ（ｍｏｂｉｌｅ  ｉｎｄｕｓｔｒｙ  ｐｒｏｃｅｓｓｏｒ  ｉｎｔｅｒｆａｃｅ）等を介して互いに連結され、データ及び／またはシグナルを受け渡しすることができる。
【００５５】
光源１５０は、前述の通り、基板２のコーティング膜に向かってレーザ光を照射することができる。光源１５０の配置、基板に対する相対的位置などは、それぞれ多様に構成され得る（ｃｏｎｆｉｇｕｒｅｄ）。一実施例において、光源１５０は、前述のｚ軸上に配置されることができる。一実施例において、光源１５０は、短い時間内に波長を可変することができるレーザを用いることができ、これを用いて、それぞれ異なる波長に対応する光干渉データが取得されることができる。一実施例において、検査装置１０は、複数の光源１５０を含むこともできる。
【００５６】
光感知器１６０は、レーザ光によりコーティング膜から発生した干渉光をキャプチャーすることができる。具体的に光感知器１６０は、レーザ光がコーティング膜の表面で反射した反射光（即ち、基準光）及びコーティング膜から所定の深さまで透過した後に後方散乱された散乱光（即ち、測定光）により発生する干渉光をキャプチャーすることができる。このような干渉光をキャプチャーして取得した光干渉データを用いて、コーティング膜の面を基準とした断面イメージが生成され得る。一実施例において、光感知器１６０は、前述のｚ軸上に配置されることができる。一実施例において、光感知器１６０は、ｚ軸上に配置されなくてもよく、この場合、所定の追加の構成要素が反射光と散乱光の光路を光感知器１６０に向かうように調整することができる。一実施例において、検査装置１０は、複数の光感知器１６０を含むことができる。光感知器１６０は、ＣＣＤまたはＣＭＯＳにより具現され得る。実施例により、光源１５０及び光感知器１６０を合わせて、検査装置１０のＯＣＴパート１７０と呼ぶことができる。
【００５７】
プロセッサ１１０は、ソフトウェア（例：プログラム）を駆動してプロセッサ１１０に連結された検査装置１０の少なくとも１つの構成要素を制御することができる。また、プロセッサ１１０は、本開示と関連する多様な演算、処理、データ生成、加工などの動作を行うことができる。また、プロセッサ１１０は、データなどをメモリ１２０からロードしたり、メモリ１２０に格納することができる。
【００５８】
プロセッサ１１０は、光感知器１６０から、前述の干渉光による光干渉データを取得することができる。プロセッサ１１０は、１つまたはそれ以上の光干渉データに基づいて、レーザ光が照射された基板２の一領域に塗布されたコーティング膜の厚さを導き出すことができる。光干渉データからコーティング膜の厚さを導き出す過程は後述する。
【００５９】
メモリ１２０は、多様なデータを格納することができる。メモリ１２０に格納されるデータは、検査装置１０の少なくとも１つの構成要素により取得されたり、処理されたり、用いられたりするデータであって、ソフトウェア（例：プログラム）を含むことができる。メモリ１２０は、揮発性及び／または非揮発性メモリを含むことができる。メモリ１２０は、光感知器１６０から取得される１つまたはそれ以上の光干渉データを格納することができる。また、メモリ１２０は、後述する素子配列情報、素子密集度情報、電極位置情報を格納することができる。
【００６０】
本開示において、プログラムはメモリ１２０に格納されるソフトウェアであって、検査装置１０のリソースを制御するための運営体制、アプリケーション及び／またはアプリケーションが検査装置１０のリソースを活用できるように多様な機能をアプリケーションに提供するミドルウェアなどを含むことができる。
【００６１】
一実施例において、検査装置１０は、通信インターフェース（図示せず）をさらに含むことができる。通信インターフェースは、検査装置１０とサーバーまたは検査装置１０と他の外部電子装置間の無線または有線通信を行うことができる。例えば、通信インターフェースは、ＬＴＥ（ｌｏｎｇ−ｔｅｒｍ  ｅｖｏｌｕｔｉｏｎ）、ＬＴＥ−Ａ（ＬＴＥ  Ａｄｖａｎｃｅ）、ＣＤＭＡ（ｃｏｄｅ  ｄｉｖｉｓｉｏｎ  ｍｕｌｔｉｐｌｅ  ａｃｃｅｓｓ）、ＷＣＤＭＡ（登録商標）（ｗｉｄｅｂａｎｄ  ＣＤＭＡ）、ＷｉＢｒｏ（Ｗｉｒｅｌｅｓｓ  Ｂｒｏａｄｂａｎｄ）、ＷｉＦｉ（ｗｉｒｅｌｅｓｓ  ｆｉｄｅｌｉｔｙ）、ブルートゥース（登録商標）（Ｂｌｕｅｔｏｏｔｈ（登録商標））、ＮＦＣ（ｎｅａｒ  ｆｉｅｌｄ  ｃｏｍｍｕｎｉｃａｔｉｏｎ）、ＧＰＳ（Ｇｌｏｂａｌ  Ｐｏｓｉｔｉｏｎｉｎｇ  Ｓｙｓｔｅｍ）またはＧＮＳＳ（ｇｌｏｂａｌ  ｎａｖｉｇａｔｉｏｎ  ｓａｔｅｌｌｉｔｅ  ｓｙｓｔｅｍ）等の方式による無線通信を行うことができる。例えば、通信インターフェースは、ＵＳＢ（ｕｎｉｖｅｒｓａｌ  ｓｅｒｉａｌ  ｂｕｓ）、ＨＤＭＩ（登録商標）（ｈｉｇｈ  ｄｅｆｉｎｉｔｉｏｎ  ｍｕｌｔｉｍｅｄｉａ  ｉｎｔｅｒｆａｃｅ）、ＲＳ−２３２（ｒｅｃｏｍｍｅｎｄｅｄ  ｓｔａｎｄａｒｄ２３２）またはＰＯＴＳ（ｐｌａｉｎ  ｏｌｄ  ｔｅｌｅｐｈｏｎｅ  ｓｅｒｖｉｃｅ）等の方式による有線通信を行うことができる。
【００６２】
一実施例において、プロセッサ１１０は、通信インターフェースを制御してサーバーから情報を取得することができる。サーバーから取得された情報は、メモリ１２０に格納されることができる。一実施例において、サーバーから取得される情報は、後述する素子配列情報、素子密集度情報、電極位置情報などを含むことができる。
【００６３】
一実施例において、検査装置１０は、後述する追加光源１３０及び追加光感知器１４０をさらに含むことができる。追加光源１３０及び追加光感知器１４０は、基板２のコーティング膜に対する２次元イメージを取得して、コーティング膜の厚さを測定するのに用いられ得る。
【００６４】
一実施例において、検査装置１０は、後述する移動部をさらに含むことができる。移動部は、前述のｘ、ｙ、ｚ軸に沿って光源１５０ないしＯＣＴパート（１７０）を移動させることができる。
【００６５】
一実施例において、検査装置１０は、入力装置（図示せず）をさらに含むことができる。入力装置は、外部から検査装置１０の少なくとも１つの構成要素に伝達するためのデータの入力を受ける装置であり得る。例えば、入力装置は、マウス、キーボード、タッチパッドなどを含むことができる。
【００６６】
一実施例において、検査装置１０は、出力装置（図示せず）をさらに含むことができる。出力装置は、検査装置１０の検査結果、動作状態など多様なデータをユーザに視覚的形態で提供する装置であり得る。例えば、出力装置は、ディスプレイ、プロジェクター、ホログラム装置などを含むことができる。
【００６７】
一実施例において、検査装置１０は、多様な形態の装置となり得る。例えば、検査装置１０は、携帯用通信装置、コンピュータ装置、携帯用マルチメディア装置、ウェアラブル（ｗｅａｒａｂｌｅ）装置または前述の装置のうち１つまたはそれ以上の組み合わせによる装置であってもよい。本開示の検査装置１０は、前述の装置に限定されない。
【００６８】
本開示による検査装置１０の多様な実施例は、互いに組み合わせることができる。各実施例は、場合の数によって組み合わせられ、組み合わせて作られた検査装置１０の実施例も本開示の範囲に属する。また、前述の本開示による検査装置１０の内／外部の構成要素は、実施例により追加、変更、代替または削除されることができる。また、前述の検査装置１０の内／外部の構成要素は、ハードウェアコンポーネントで具現され得る。
【００６９】
図４は、本開示の一実施例による、断面イメージ及び断面イメージ上に示される境界線を示す図である。前述の通り、プロセッサ１１０は、取得した光干渉データから、基板２の所定の領域に塗布されたコーティング膜の厚さを導き出すことができる。プロセッサ１１０は、光干渉データから断面イメージを生成し、断面イメージ上の情報を用いてコーティング膜の厚さを導き出すことができる。
【００７０】
本開示において、断面イメージはＯＣＴ方式による対象体の測定において、対象体（コーティング膜）の深さ方向への断面を２次元イメージで示したものを意味することができる。断面イメージは、測定された光干渉データに基づいて生成され得る。断面イメージは、空気とコーティング膜、コーティング膜と基板間の境界面に対応する境界線（境界模様）を有することができる。
【００７１】
具体的には、プロセッサ１１０は、光感知器１６０に撮像された光干渉データを通じて図示されたような断面イメージを取得することができる。断面イメージは、基板２及びコーティング膜に対して−ｚ軸方向、即ち、深さ方向への断面を示すイメージであってもよい。即ち、断面イメージは、コーティング膜の表面から深さ方向に透過した、コーティング膜と基板の内部を示すことができる。
【００７２】
図示された断面イメージ４０１０は、前述の基準鏡を用いる基板検査装置により取得され得る断面イメージであってもよい。断面イメージ４０１０は、１つまたはそれ以上の境界線４０５０を有することができる。境界線４０５０のそれぞれは、空気とコーティング膜間の境界面、即ち、コーティング膜の表面に対応する境界線であるか、コーティング膜と当該コーティング膜が塗布された基板２ないし電極間の境界面に対応する境界線であり得る。基準鏡を用いる基板検査装置は、それぞれの境界面に対応する境界線間の間隔を用いて、コーティング膜の厚さを導き出すことができる。
【００７３】
具体的には、基準鏡を用いる基板検査装置の場合、基準鏡面を基準とした断面イメージ４０１０が取得されることができる。基板検査装置は、図示された断面イメージ４０１０から空気とコーティング膜間の境界面を示す境界線を決定することができる。また、基板検査装置は、断面イメージ４０１０からコーティング膜と当該コーティング膜が塗布された基板２間の境界面を示す境界線を決定することができる。基板検査装置は、断面イメージ４０１０上で、決定された両境界線間の縦方向距離を導き出し、その縦方向距離をコーティング膜の厚さと決定することができる。
【００７４】
一方、本開示による基板検査装置（例：検査装置１０）を用いる場合、コーティング膜面を基準とした断面イメージ４０２０が取得されることができる。断面イメージ４０２０は、１つまたはそれ以上の境界線４０４０を有することができる。境界線４０４０の１つは、コーティング膜と当該コーティング膜が塗布された基板２ないし電極間の境界面に対応する境界線であり得る。検査装置１０のプロセッサ１１０は、当該境界線４０４０と断面イメージ４０２０の上辺４０３０間の間隔を用いて、コーティング膜の厚さを導き出すことができる。
【００７５】
本開示による検査装置１０の場合、プロセッサ１１０は、コーティング膜と当該コーティング膜が塗布された基板２間の境界面を示す境界線４０４０を感知することができる。一実施例において、プロセッサ１１０は、断面イメージ４０２０の上辺から深さ方向に初めて示される境界線を当該境界線４０４０と決定することができる。また、検査装置１０の場合、コーティング膜の表面から反射した反射光を用いて光干渉データを生成するため、断面イメージはコーティング膜の表面を原点として、コーティング膜の表面から−ｚ軸方向、即ち、深さ方向への断面を示すことができる。従って、検査装置１０により取得された断面イメージ４０２０の上辺４０３０は、コーティング膜の表面に対応することができる。プロセッサ１１０は、感知された境界線４０４０及び断面イメージ４０２０の上辺４０３０間の縦方向距離を導き出し、その縦方向距離をコーティング膜の厚さと決定することができる。一実施例において、プロセッサ１１０は、導き出された縦方向距離に所定のスケーリングファクタ（ｓｃａｌｉｎｇ  ｆａｃｔｏｒ）を適用して導き出された値をコーティング膜の厚さと決定することができる。
【００７６】
一実施例において、ＯＣＴを用いた基板２のコーティング膜の厚さの測定において、レーザ光、反射光、散乱光及び／または干渉光は、空気でない真空や他の媒介体を介して移動することもできる。即ち、光源１５０は、レーザ光が空気以外の媒介体を透過せずに直接コーティング膜の表面に照射されるように配置されることができる。
【００７７】
図５は、本開示の一実施例による検査装置１０の深さ方向の測定範囲を示す図である。図示された断面イメージ５０１０は、前述の基準鏡を用いる基板検査装置により取得された断面イメージであり得る。当該断面イメージ５０１０は、空気とコーティング膜間の境界面を示す境界線及びコーティング膜と基板（ＰＣＢ）間の境界面を示す境界線を有することができる。また、図示された断面イメージ５０２０は、本開示による基板検査装置（例：検査装置１０）により取得された断面イメージであり得る。当該断面イメージ５０２０は、コーティング膜と基板（ＰＣＢ）間の境界面を示す境界線を有することができる。
【００７８】
一実施例において、断面イメージ５０１０が断面イメージ５０２０よりも大きくてもよい。即ち、断面イメージ５０１０が断面イメージ５０２０よりデータ量がさらに多い。これは検査装置１０による測定の場合、基準鏡を用いる場合とは異なり、コーティング膜の表面から反射した反射光を基準光として用いるため、深さ方向（−ｚ軸方向）の測定範囲がコーティング膜の表面から始まることに制限されるためであり得る。
【００７９】
図示された断面図５０３０において、基準鏡を用いる基板検査装置の場合、有意味な測定結果を得るために、基板２に実装された素子による高さの差を全て考慮した測定範囲５０４０が必要なことがある。しかし、検査装置１０を用いたコーティング膜の厚さの測定の場合、コーティング膜の最大の予想厚さ分の測定範囲５０５０のみでも有意味な厚さの測定結果を得ることができる。言い換えれば、検査装置１０は、コーティング膜の厚さの測定に必要な深さ方向の測定範囲を減らすことができるため、測定結果の処理に必要な演算容量及び格納に必要なメモリを減らすことができる。
【００８０】
また、検査装置１０を用いたコーティング膜の厚さの測定の場合、基準鏡を用いないため、反射光の飽和現象による測定エラーの発生可能性を減らすことができる。照射光の光出力が一定量を超過すると、反射光の光量も多くなり、干渉信号が飽和されることができる。飽和状態になると、測定対象により発生する干渉信号とは関係なく干渉信号が示されるようになり、正確な測定に妨げになり得る。このような飽和現象は、反射率が高い基準鏡を用いる場合にさらによく発生し得る。検査装置１０は、基準鏡の使用を排除することにより、飽和現象による測定エラーを減らすことができる。
【００８１】
図６は、本開示の一実施例による、プロセッサ１１０が複数の境界線に基づいてコーティング膜の厚さを導き出す過程を示す図である。一実施例において、検査装置１０は、メモリに格納された所定の領域に対して予め取得された複数の断面イメージを用いて、当該領域に該当するコーティング膜の厚さを導き出すことができる。このために、複数回の測定を通じて予め複数の断面イメージが取得されてメモリに格納されていることができる。これにより、検査装置１０は、ノイズによる影響を最小化しながらコーティング膜の厚さを導き出すことができる。
【００８２】
前述の通り、プロセッサ１１０は、１つまたはそれ以上の光干渉データに基づいて１つの断面イメージを取得することができる。基板検査装置は複数回測定を繰り返して、基板の所定領域に対する複数の断面イメージ６０１０を取得することができ、複数の断面イメージはメモリに格納されていることができる。複数の断面イメージ６０１０のそれぞれは、基板２のコーティング膜の−ｚ軸、即ち、深さ方向への断面を示すことができる。複数の断面イメージ６０１０のそれぞれは、コーティング膜と基板２間の境界面を示す境界線６０２０を有することができる。
【００８３】
プロセッサ１１０は、断面イメージ６０１０のそれぞれから複数の境界線６０２０を取得することができる。プロセッサ１１０は、複数の境界線６０２０のうち１つの境界線を、コーティング膜と当該コーティング膜が塗布された基板２の一領域間の境界面を示す境界線６０３０と決定することができる。プロセッサ１１０は、決定された境界線に基づいて、前述の方式によりコーティング膜の厚さを導き出すことができる。
【００８４】
一実施例において、プロセッサ１１０は、複数の境界線６０２０の平均値（ｍｅａｎ）、中央値（ｍｅｄｉａｎ）または最頻値（ｍｏｄｅ）を導き出し、平均値、中央値または最頻値による境界線を、コーティング膜と基板２間の境界面を示す境界線６０３０と決定することができる。プロセッサは、決定された境界線６０３０に基づいて、当該境界面の一領域に該当するコーティング膜の厚さを導き出すことができる。
【００８５】
本開示において、平均値は、全サンプルの値を加えた後に、サンプルの総数で割った値であり得る。本開示において、中央値は、全サンプルの値の中央にある値を意味することができる。サンプルの値を小さい数から大きい数に整列し、サンプルの数が奇数の場合、真中に位置した値を中央値とし、サンプルの数が偶数の場合、真中に位置した２つの値の平均値を中央値とすることができる。本開示において、最頻値は、サンプルの値のうち最も高い頻度で示される値を意味することができる。特に、本開示で境界線の平均値、中央値または最頻値とは、当該断面イメージで当該境界線が有する位置座標の平均値、中央値または最頻値を意味することができる。即ち、断面イメージをｘ、ｙ軸からなる平面で見たとき、当該断面イメージでの境界線の各点は、ｘ、ｙ座標値を有することができる。複数の断面イメージ６０１０で複数の境界線６０２０がそれぞれ有するｘ、ｙ座標値の平均値、中央値または最頻値が導き出され得、この導き出された座標値による境界線が、前述の平均値、中央値または最頻値による境界線６０３０であり得る。
【００８６】
図７は、本開示の一実施例による、プロセッサ１１０が所定基準に従って一部境界線を除外する過程を示す図である。一実施例において、プロセッサ１１０は、前述の複数の境界線６０２０の平均値を導き出し、導き出された平均値から所定の比率以上逸脱した境界線を除外した後、残りの境界線のみでコーティング膜の厚さの導出に基礎となる境界線を決定することができる。これは複数の境界線６０２０のうち、一定範囲を非常に逸脱する境界線を除外することで、明白な測定エラーによる値を排除したコーティング膜の厚さ測定を行うためであり得る。これを通じてさらに正確な厚さ測定が可能となり得る。
【００８７】
具体的には、プロセッサ１１０は、複数の境界線６０２０に対する第１平均値を導き出すことができる。境界線の平均値の導出過程は、前述の通り行われることができる。プロセッサ１１０は、複数の境界線６０２０のうち、導き出された第１平均値を既に定義された比率以上逸脱した境界線７０３０を除外することができる。即ち、導き出された第１平均値の所定比率による範囲が、図示された点線７０２０間の領域であるとすると、当該領域内に含まれる境界線７０１０は維持され、当該領域を逸脱する境界線７０３０はその後の処理から排除されることができる。プロセッサ１１０は、既に定義された比率以上逸脱した境界線７０３０を除外した残りの境界線７０１０の第２平均値を導き出すことができる。境界線の平均値の導出過程は、前述の通り行われることができる。プロセッサ１１０は、導き出された第２平均値による境界線を、コーティング膜と基板２間の境界面を示す境界線と決定することができる。プロセッサは、決定された境界線に基づいて、当該境界面の一領域に該当するコーティング膜の厚さを導き出すことができる。
【００８８】
一実施例において、プロセッサ１１０は、平均値ではない、中央値または最頻値を用いて、前述のような、所定の境界線を排除する動作を行うことができる。例えば、プロセッサ１１０は、複数の境界線６０２０の第１中央値を導き出し、第１中央値を所定比率逸脱した境界線を排除し、残りの境界線の第２中央値による境界線を、コーティング膜の厚さの導出に基礎となる境界線と決定することができる。最頻値に対しても同様である。一実施例において、平均値、中央値、最頻値が互いに組み合わせて用いられることもできる。
【００８９】
図８は、本開示の一実施例による、コーティング膜の反射率に基づいた厚さ測定領域の調整過程を示す図である。一実施例において、コーティング膜の表面の反射率が所定の基準値以上であるとき、基準鏡を用いない検査装置１０が用いられ得る。所定の基準値は、コーティング膜の表面が基準鏡１７２の役割を行うのに必要な最小限の反射率であってもよい。本開示の基準鏡を用いない厚さ測定において、コーティング膜の表面の反射率は、コーティング膜の表面から反射して生成される反射光（即ち、基準光）とコーティング膜に照射されるレーザ光間の比率を意味することができる。
【００９０】
一実施例において、検査装置１０は、コーティング膜の表面による反射光（即ち、基準光）の光量に基づいてコーティング膜の反射率を導き出し、反射率によって光源１５０ないしＯＣＴパート１７０を移動させて厚さ測定を行うことができる。基準鏡を用いない検査装置１０は、コーティング膜の反射率に基づいて光干渉データを取得するため、コーティング膜の反射率によって測定対象地点を微細調整することにより、さらに有意味な測定結果を取得することができる。
【００９１】
具体的には、光感知器１６０は、前述の反射光（即ち、基準光）及び散乱光（即ち、測定光）による干渉光をキャプチャーするとき、基準光の光量を測定することができる。プロセッサ１１０は、測定されたコーティング膜による基準光の光量に基づいて、コーティング膜の表面の当該領域でのｚ軸方向への反射率を導き出すことができる。ｚ軸方向への反射率とは、照射されたレーザ光が＋ｚ軸方向に反射した比率を意味することができる。
【００９２】
プロセッサ１１０は、導き出された反射率が既に定義された反射率以上である場合、当該基準光により形成された１つまたはそれ以上の光干渉データが有効な光干渉データであると判断し、当該光干渉データを用いてコーティング膜の厚さを導き出すことができる。既に定義された反射率は、コーティング膜が基準鏡の役割を行うのに必要な最小限の反射率であって、前述の所定の基準値であってもよい。
【００９３】
プロセッサ１１０は、導き出された反射率が既に定義された反射率未満である場合、レーザ光が初期測定対象領域８０１０に隣接する他の領域８０２０に向かって照射されるように、光源１５０ないしＯＣＴパート１７０を移動させることができる。一実施例において、検査装置１０は、移動部をさらに含むことができる。移動部は、ｘ軸、ｙ軸及び／またはｚ軸方向に光源１５０ないしＯＣＴパート１７０を移動させることができる。前述の通り、ｘ軸とｙ軸はそれぞれ、基板２の表面に対応する平面に含まれる軸であって、当該平面上で互いに直交することができ、ｚ軸は基板の法線方向に対応する軸であり得る。ｘ軸とｙ軸のそれぞれは、前述のｚ軸に直交することができる。プロセッサ１１０は移動部を制御して、レーザ光が初期測定対象領域８０１０に隣接する他の領域８０２０に向かって照射されるように、光源１５０ないしＯＣＴパート１７０をｘ軸及び／またはｙ軸方向に移動させることができる。
【００９４】
一実施例において、プロセッサ１１０は、取得された１つまたはそれ以上のキャプチャーされた干渉光の解像度に基づいて移動部を制御して、光源１５０ないしＯＣＴパート１７０のｚ軸上の位置を調整することができる。即ち、移動部は、キャプチャーされた干渉光の解像度により光源１５０ないしＯＣＴパート１７０をｚ軸方向に移動させることができる。干渉光は、前述の反射光（即ち、基準光）と散乱光（即ち、測定光）による干渉現象をキャプチャーしたものであるため、干渉現象がよく起こるかは、レーザ光、反射光、散乱光の移動経路による位相差により決定されることができる。プロセッサ１１０は移動部を制御して、光源１５０ないしＯＣＴパート１７０のｚ軸上の位置を調整することにより、さらに明確な干渉光の干渉信号を取得するための調整を行うことができる。
【００９５】
図示された測定領域の調整過程８１０において、ＯＣＴパート１７０は、移動部により移動することができる。これにより、ＯＣＴパート１７０による測定対象領域ないしレーザ光が照射される領域８０１０がｘ軸またはｙ軸に移動することができる。これは既存の領域８０１０におけるコーティング膜の反射率が所定の基準に至っていないためであり得る。新たな照射領域８０２０は、新たな照射領域８０２０に該当するコーティング膜の測定厚さが既存の領域８０１０に該当するコーティング膜の厚さと見なされるか、近似され得る隣接領域と決定されることができる。１つの領域に対する隣接領域については後述する。また、新たな照射領域８０２０は、既存の領域８０１０とは異なり、基準光の＋ｚ軸方向反射率が所定の基準以上の領域と決定されることができる。一実施例において、新たな照射領域８０２０は、既存の領域８０１０に比べて基準光の＋ｚ軸方向反射率が一定比率以上さらに高い領域と決定されることができる。
【００９６】
この過程を断面視すると（８２０）、光源１５０が移動部により移動し、既存の照射領域８０１０から新たな照射領域８０２０にレーザ光を照射することができる。図示された実施例において、既存の照射領域８０１０は、コーティング膜の＋ｚ軸方向への反射率が所定基準未満である。これは既存の照射領域８０１０のコーティング膜の表面が基板の法線と平行せず、一定角度以上に傾いた形態であるためであり得る。また、キャプチャーされた干渉光の解像度に基づいて、移動部は光源１５０ないしＯＣＴパート１７０をｚ軸方向に移動させることができる。
【００９７】
一実施例において、コーティング膜の表面の反射率が基準値以上となるように、照射されるレーザ光の照射角度が調整され得る。一実施例において、コーティング膜の表面の反射率が基準値以上となるように、コーティング膜の表面が基板に平行な領域に対してレーザ光が照射されることができる。
【００９８】
一実施例において、コーティング膜の表面の反射率は、当該コーティング膜の蛍光染料混合率により決定されることができる。一実施例において、蛍光染料が混合されたコーティング膜は、そうでない基板に比べてコーティング膜の表面の反射率が高いことがある。コーティング膜の蛍光染料混合率が高いほど、コーティング膜の表面の反射率も高くなることができる。即ち、蛍光染料が混合されたコーティング膜を用いると、コーティング膜の表面の反射率が高くなり、これによって、基準鏡を用いない検査装置１０による厚さ測定が容易に行われることができる。一実施例において、コーティング膜の蛍光染料混合率は、コーティング膜の表面の反射率が予め設定された基準値を超えるようにする値に設定されることができる。実施例によりこの基準値は、コーティング膜の表面が基準鏡１７２の役割を行うのに必要な最小限の反射率であってもよく、実施者の意図により任意に設定された値であってもよい。
【００９９】
また、一実施例において、コーティング膜の後方散乱率も当該コーティング膜の蛍光染料混合率により決定されることができる。一実施例において、蛍光染料が混合されたコーティング膜は、そうでない基板に比べてコーティング膜の後方散乱率が高いことがある。本開示の基準鏡を用いない検査装置１０による厚さ測定において、コーティング膜の後方散乱率は、後方散乱される前述の散乱光（即ち、測定光）とコーティング膜に照射されるレーザ光間の比率を意味することができる。コーティング膜の蛍光染料混合率が高いほど、コーティング膜の後方散乱率も高くなり得る。即ち、蛍光染料が混合されたコーティング膜を用いると、コーティング膜の後方散乱率が高くなり、これによって、基準鏡を用いない検査装置１０による厚さ測定が容易に行われることができる。一実施例において、コーティング膜の蛍光染料混合率は、コーティング膜の後方散乱率が予め設定された基準値を超えるようにする値に設定されることができる。
【０１００】
一実施例において、コーティング膜の表面は、曲面に形成されることができる。一実施例において、コーティング膜の表面は、基板に対して凸な曲面、凹な曲面または任意の（ａｒｂｉｔｒａｒｙ）形状を有する曲面に形成されることができる。一実施例において、コーティング膜の表面が曲面である場合、コーティング膜の表面が平面である場合に比べて基準鏡を用いない検査装置１０による厚さ測定が容易に行われることができる。
【０１０１】
図９は、本開示の一実施例による、検査装置１０が蛍光染料を用いた写真撮影検査を通じて、ＯＣＴパート１７０による厚さ測定を行う領域をサンプリングする過程を示す図である。一実施例において、検査装置１０は、基板の全領域に対して蛍光染料を用いた写真撮影検査を行い、検査結果に基づいて所定基準に従って特定領域を導き出し、導き出された領域に対してＯＣＴによるコーティング膜の厚さの測定を行うことができる。
【０１０２】
検査装置１０は、まず、基板２に蛍光染料を用いた写真撮影検査を行うことができる。写真撮影検査は、蛍光写真撮影検査であってもよい。この検査のために、基板２上に塗布されるコーティング膜には予め蛍光染料が混合されていてもよい。一実施例によると、本開示による検査装置１０は、追加光源１３０及び／または追加光感知器１４０をさらに含むことができる。検査装置１０の追加光源１３０は、基板のコーティング膜に向かって紫外線を照射することができる。照射された紫外線は、コーティング膜に混合されている蛍光染料を励起させて蛍光を発生させ得る。検査装置１０の追加光感知器１４０は、その蛍光をキャプチャーして、基板のコーティング膜に対する２次元イメージを取得することができる。２次元イメージは、実施例により２次元蛍光イメージであってもよい。
【０１０３】
検査装置１０は、写真撮影検査の結果に基づいて、所定基準に従って、基板２上の１つまたはそれ以上の領域３を導き出すことができる。検査装置１０は、２次元イメージから基板２に塗布されたコーティング膜の塗布量を導き出すことができる。検査装置１０は、取得された２次元イメージから基板２の複数の領域のそれぞれに対する輝度（ｌｕｍｉｎａｎｃｅ）情報を取得することができる。紫外線が照射されると、蛍光染料の量によりコーティング膜の各領域における輝度が異なって示され得る。検査装置１０は、各領域の輝度を用いて、各領域におけるコーティング膜の塗布量を導き出すことができる。
【０１０４】
この後、検査装置１０は、塗布量に基づいて一定領域３を導き出すことができる。例えば、塗布量が一定基準以下である領域が一定領域３として導き出され得る。検査装置１０は、導き出された領域３に対し、前述のような、ＯＣＴパート１７０を用いた厚さ測定を追加で行うことができる。検査装置１０のＯＣＴパート１７０は、導き出された領域３に対する光干渉データを取得し、取得された光干渉データに基づいて、基板上の当該領域３に塗布されたコーティング膜の厚さを測定することができる。
【０１０５】
一実施例において、追加光源１３０は、基板に向かって紫外線を照射するように配置されることができ、追加光源１３０の基板に対する相対的位置、紫外線の照射角度、紫外線の明るさなどは、それぞれ多様に構成され得る（ｃｏｎｆｉｇｕｒｅｄ）。一実施例において、検査装置１０は、複数の追加光源１３０を含むことができる。一実施例において、追加光感知器１４０は、紫外線によりコーティング膜から発生した蛍光をキャプチャーすることができる。一実施例において、検査装置１０は、複数の追加光感知器１４０を含むことができる。追加光感知器１４０は、ＣＣＤ（Ｃｈａｒｇｅｄ  Ｃｏｕｐｌｅｄ  Ｄｅｖｉｃｅ）またはＣＭＯＳ（Ｃｏｍｐｌｅｍｅｎｔａｒｙ  Ｍｅｔａｌ−Ｏｘｉｄｅ−Ｓｅｍｉｃｏｎｄｕｃｔｏｒ）により具現され得る。
【０１０６】
図１０は、本開示の一実施例による、検査装置１０が素子配列により、ＯＣＴパート１７０による厚さ測定を行う領域を追加でサンプリングする過程を示す図である。一実施例において、プロセッサ１１０は、２次元イメージを通じて導き出された塗布量が既に設定された量以下である領域３と素子の配列が同一または類似の領域４を導き出し、ＯＣＴパート１７０を制御してこの領域４に対する厚さを導き出すことができる。言い換えれば、プロセッサ１１０は、素子配列情報に基づいて素子の配列が同一または類似の領域を導き出し、その領域に対してＯＣＴを用いた厚さ測定を行うことができる。素子配列が同一であるか、類似の領域は、塗布されたコーティング膜の厚さ値が類似し得る。ある１つの領域と素子配列が同一または類似の領域は、類似のコーティング膜の厚さを有することができる。本開示において、素子配列情報は、基板２上に配置された素子の配列を示す情報であり得る。素子配列情報は、基板２上で、基板２に実装された素子の位置、方向、占める大きさなどの情報を示すことができる。
【０１０７】
先に、プロセッサ１１０は、前述の通り、２次元イメージを通じて取得した塗布量が既に設定された量以下である領域３を導き出すことができる。一実施例において、プロセッサ１１０は、ＯＣＴパート１７０を用いて、この領域３に対する厚さを測定することができる。プロセッサ１１０はこれに加えて、導き出された領域３と素子配列が同一の基板２上のある領域４を導き出すことができる。当該領域４は、２次元イメージを通じて導き出した塗布量が既に設定された量を超える領域（即ち、第１領域ではない領域）の中で選択されることができる。プロセッサ１１０は、前述の素子配列情報に基づいて当該領域４を導き出すことができる。プロセッサ１１０は、ＯＣＴパート１７０を用いて、追加で導き出された当該領域４に対する厚さを導き出すことができる。プロセッサ１１０は、光源１５０及び光感知器１６０を制御して、当該領域４から反射したレーザ光により生成される光干渉データを取得することができる。プロセッサ１１０は、取得された光干渉データに基づいて、当該領域４に塗布されているコーティング膜に対する厚さを導き出すことができる。本開示において、プロセッサ１１０が光源１５０及び光感知器１６０を制御して一領域の光干渉データを取得するということは、光源１５０が当該一領域に向かってレーザ光を照射し、光感知器１６０が当該一領域から発生した干渉光による光干渉データを取得するということを意味することができる。
【０１０８】
一実施例において、プロセッサ１１０は、２次元イメージにより導き出された領域３と素子配列が類似の領域４を導き出し、その領域４に対してＯＣＴを用いた厚さ測定を行うこともできる。ここで素子配列が類似するか否かは、両領域３、４に対する素子配列情報に基づいて判断されることができる。プロセッサ１１０は、その領域３、４で素子が占める面積、素子の配置、種類、形態、素子の電極位置などに基づいて両領域に対する素子配列の類似度を算出し、算出された類似度によって両領域の素子配列が類似するか否かを決定することができる。
【０１０９】
一実施例において、プロセッサ１１０は、基板２上の素子配列及び素子が密集している程度により前述の輝度情報を調整し、調整された輝度情報に基づいて当該領域のコーティング膜塗布量を導き出すことができる。具体的には、プロセッサ１１０は、メモリ１２０から基板２上の素子の配列を示す素子配列情報を取得することができる。プロセッサ１１０は、前述の素子配列情報に基づいて、基板２上の各領域に対する素子密集度情報を導き出すことができる。プロセッサ１１０は、素子密集度情報に基づいて、２次元イメージから導き出された輝度情報を調整することができる。基板２において素子密集度が高い領域では、蛍光染料の塗布が均一ではないこともある。素子密集度が高い、即ち、素子が密集した領域では蛍光染料の蓄積により、輝度が高く測定され得る。プロセッサ１１０は、素子密集度による輝度の歪曲を考慮して、取得した輝度情報を調整することができる。このような調整には、素子密集度と輝度間の関係を示す蓄積された情報が用いられ得、この情報はデータベース化されてメモリ１２０に格納されていることができる。プロセッサ１１０は、調整された輝度情報に基づいて、基板２上の領域のそれぞれに対する塗布量を導き出すことができる。
【０１１０】
図１１は、本開示の一実施例による、検査装置１０が欠陥領域により、ＯＣＴパート１７０による厚さ測定を行う領域を追加でサンプリングする過程を示す図である。一実施例において、プロセッサ１１０は、素子配列情報及び２次元イメージに基づいて基板２上に欠陥があると判断される領域５を導き出し、ＯＣＴパート１７０を制御してこの領域に対する厚さを導き出すことができる。基板２またはコーティング膜の所定の欠陥、例えば、クラック（ｃｒａｃｋ）、剥離、凹凸、屈曲などがある部分は、２次元写真撮影検査を通じた塗布量の測定に誤りがあり得る。これにより、素子配列情報及び／または２次元イメージに基づいて所定の欠陥があるところと判断された領域５は、ＯＣＴパート１７０を用いて追加でコーティング膜の厚さの測定が行われ得る。
【０１１１】
プロセッサ１１０は、メモリ１２０から取得される素子配列情報及び／または２次元イメージに基づいて、基板２上で所定の欠陥があると判断される領域５を決定することができる。２次元イメージは、実際の基板２及びコーティング膜の形態を撮影した写真であってもよい。素子配列情報は、所定の規格（ｓｐｅｃｉｆｉｃａｔｉｏｎ）により基板２が有する形態及び予想されるコーティング膜の塗布形態を示すことができる。プロセッサ１１０は、素子配列情報と２次元イメージを対比し、現在の基板２及びコーティング膜が、所定の規格を逸脱した特徴を有する領域を決定することができる。即ち、プロセッサ１１０は、当該特徴が欠陥であると判断することができる。プロセッサ１１０は、その欠陥が存在する領域５を導き出すことができる。
【０１１２】
プロセッサ１１０は、ＯＣＴパート１７０を用いて、導き出された領域５に対する厚さを導き出すことができる。プロセッサ１１０は、光源１５０及び光感知器１６０を制御して、当該領域５から反射したレーザ光により生成される光干渉データを取得することができる。プロセッサ１１０は、取得された光干渉データに基づいて、当該領域５に塗布されているコーティング膜に対する厚さを導き出すことができる。
【０１１３】
一実施例において、欠陥領域に基づいた追加測定対象領域の導出は、前述の２次元イメージに基づいた追加測定対象領域の導出とは独立的に行われることができる。
【０１１４】
また、一実施例において、プロセッサ１１０は、基板２上で素子が有する電極の位置を示す電極位置情報に基づいて、電極部分を含む領域を導き出し、ＯＣＴパート１７０を制御してこの領域に対する追加の厚さ測定を行うことができる。本開示において、電極位置情報は、基板２上で素子が有する電極の位置を示すことができる。例えば、素子はそれぞれ、素子と基板上の微細な配線を連結するための電極部分を有することができる。この電極は、素子またはチップの脚と呼ばれることもできる。電極位置情報は、素子の電極が基板２上でどの部分に位置しているかを示すことができる。一般に素子の電極部分は、素子の脚の密集により蛍光染料が塊になる現象があり得、これにより、２次元イメージに基づいた厚さ測定が正確ではないこともある。これにより、素子の電極が位置する部分はＯＣＴを用いた追加の厚さ測定を行い、全体厚さ測定過程の正確度を高めることができる。
【０１１５】
プロセッサ１１０は、メモリ１２０から取得した電極位置情報に基づいて、基板２上で素子の電極がどこに位置するか分かる。プロセッサ１１０は、電極が位置した基板２上の領域を導き出すことができる。一実施例において、当該領域は、２次元イメージを通じて取得した塗布量が既に設定された量を超える領域（即ち、第１領域ではない領域）の中で選択されることができる。
【０１１６】
プロセッサ１１０は、ＯＣＴパート１７０を用いて、導き出された領域に対する厚さを導き出すことができる。プロセッサ１１０は、光源１５０及び光感知器１６０を制御して、当該領域から反射したレーザ光により生成される光干渉データを取得することができる。プロセッサ１１０は、取得された光干渉データに基づいて、当該領域に塗布されているコーティング膜に対する厚さを導き出すことができる。
【０１１７】
図１２は、本開示の一実施例による、検査装置１０がＯＣＴパート１７０による厚さ測定を行う領域の隣接領域を追加でサンプリングする過程を示す図である。本開示の多様な実施例により導き出される基板２上の領域、即ち、ＯＣＴを用いて追加で厚さ測定が行われる領域７において、検査装置１０は、その領域７の隣接領域８に対してもＯＣＴを用いて追加の厚さ測定を行うことができる。
【０１１８】
導き出された当該領域７は、コーティング膜の厚さの測定の正確度の面で、２次元写真撮影検査に次いで追加で、ＯＣＴを用いた厚さ測定が行われ得るところである。当該領域７の隣接領域は、基板２またはコーティング膜と関連して当該領域７と類似の特性を有することができる。これにより、全体厚さ測定過程の正確性を担保するために、隣接領域に対してＯＣＴを用いた追加の厚さ測定が行われ得る。
【０１１９】
ここで隣接領域とは、基板２を複数の領域に区分したときに、当該領域７に隣接して位置した領域を意味することができる。一実施例において、隣接領域は複数の領域のうち、当該領域７と境界線を当てている領域を意味することができる。一実施例において、隣接領域は複数の領域のうち、当該領域７の中心を基準として一定半径内に位置する領域を意味することができる。一実施例において、基板の横方向、縦方向に対応する軸をそれぞれｘ軸、ｙ軸としたとき、隣接領域は当該領域７の＋ｘ軸方向、−ｘ軸方向、＋ｙ軸方向、−ｙ軸方向に位置して当該領域７と境界線を共有する領域であり得る。一実施例において、隣接領域は複数の領域のうち、当該領域７と頂点を共有し、対角線に位置する領域を含むことができる。
【０１２０】
一実施例において、プロセッサ１１０は、２次元イメージにより導き出された塗布量及び、ＯＣＴパート１７０により測定された厚さ値に基づいてＯＣＴを用いた厚さ測定を再度行うことができる。実施例により、塗布量から導き出され得る当該領域コーティング膜の定性的な厚さ値と、ＯＣＴにより測定された厚さ値の差値を導き出し、その差値が既に定義された値以上である場合、当該領域に対してＯＣＴを用いた厚さ測定が再度行われることができる。また、実施例により、導き出された塗布量及び厚さ値に基づいて、2つの値が所定の基準を満たさない場合、厚さ測定が再度行われることができる。ここで所定の基準とは、既に測定された塗布量と厚さ間の関係性に基づいてみたとき、導き出された塗布量または厚さのうち少なくとも１つの値が誤って測定されたものと判断するのに用いる基準であり得る。即ち、塗布量及び厚さ値を考慮したときに測定に誤りがあると判断されれば、測定が再度行われることができる。また、一実施例において、プロセッサ１１０は２次元イメージにより導き出されたある領域の塗布量及び、ＯＣＴパート１７０により測定されたその領域の厚さ値に基づいて、当該領域の隣接領域に対して、ＯＣＴパート１７０を制御して厚さを再測定することができる。
【０１２１】
図１３は、本開示による検査装置１０により行われ得る、基板検査方法の一実施例を示す図である。図示されたフローチャートで本開示による方法またはアルゴリズムの各段階が逐次的な順序で説明されたものの、各段階は逐次的に行われること以外に、本開示により任意に組み合わせ得る順序に従って行われることもできる。本フローチャートに関する説明は、方法またはアルゴリズムに変化または修正を加えることを除外せず、任意の段階が必須であるか望ましいということを意味しない。一実施例において、少なくとも一部の段階が並列的、反復的またはヒューリスティックに行われることができる。一実施例において、少なくとも一部の段階が省略されたり、他の段階が追加されたりすることができる。
【０１２２】
本開示による検査装置１０は、基板検査を行うにおいて、本開示の多様な実施例による基板検査方法を行うことができる。本開示の一実施例による基板検査方法は、基板上の一領域に塗布されたコーティング膜に向かってレーザ光を照射する段階Ｓ１００、コーティング膜の表面により反射して生成された基準光及びコーティング膜を透過して散乱された測定光間の干渉による光干渉データを取得する段階Ｓ２００、及び／または光干渉データに基づいて、前記一領域に該当する前記コーティング膜の厚さを導き出す段階Ｓ３００を含むことができる。
【０１２３】
段階Ｓ１００において、検査装置１０の光源１５０は、基板上の一領域に塗布されたコーティング膜に向かってレーザ光を照射することができる。段階Ｓ２００において、光感知器１６０は、レーザ光がコーティング膜の表面により反射して生成された基準光及びレーザ光がコーティング膜を透過して散乱された測定光間の干渉による光干渉データを取得することができる。段階Ｓ３００において、プロセッサ１１０は、光干渉データに基づいて前述の一領域に該当するコーティング膜の厚さを導き出すことができる。
【０１２４】
一実施例において、コーティング膜の厚さを導き出す段階Ｓ３００は、プロセッサ１１０が、光干渉データに基づいてコーティング膜の深さ方向への断面を示す断面イメージを取得する段階及び／または断面イメージ上の境界線に基づいて、コーティング膜の厚さを決定する段階を含むことができる。
【０１２５】
一実施例において、コーティング膜の厚さを導き出す段階Ｓ３００は、プロセッサ１１０がメモリから前記一領域に対して予め取得された複数の断面イメージを取得する段階及び／またはプロセッサ１１０が複数の断面イメージ上の複数の境界線から基準境界線を決定し、基準境界線に基づいて前述の一領域に該当するコーティング膜の厚さを導き出す段階を含むことができる。
【０１２６】
一実施例において、基準境界線は、前記複数の境界線に対する平均値（ｍｅａｎ）、中央値（ｍｅｄｉａｎ）及び最頻値（ｍｏｄｅ）のうち１つによる境界線であり得る。
【０１２７】
一実施例において、基準境界線は、前記複数の境界線のうち予め設定された基準を満たす境界線の平均値による境界線であり得る。
【０１２８】
一実施例において、基板検査方法は、光感知器１６０が基準光の光量に基づいてコーティング膜の表面の反射率を導き出す段階及び／または反射率が既に定義された反射率未満である場合、光源を移動させる段階をさらに含むことができる。この移動は、前述の移動部により行われることができる。
【０１２９】
一実施例において、レーザ光は、第１方向に沿って前述の一領域に向かって照射され、基準光及び測定光は、第１方向の逆方向に進み、光感知器によりキャプチャーされることができる。一実施例において、レーザ光は、空気以外の媒介体を透過せずに直接コーティング膜の表面に照射されることができる。
【０１３０】
本開示の多様な実施例は、機器（ｍａｃｈｉｎｅ）が読み取ることができる格納媒体（ｍａｃｈｉｎｅ−ｒｅａｄａｂｌｅ  ｓｔｏｒａｇｅ  ｍｅｄｉｕｍ）にソフトウェアで具現され得る。ソフトウェアは、本開示の多様な実施例を実現するためのソフトウェアであり得る。ソフトウェアは、本開示が属する技術分野のプログラマーにより本開示の多様な実施例から推論され得る。例えば、ソフトウェアは、機器が読み取ることができる命令語（例：コードまたはコードセグメント）を含むプログラムであってもよい。機器は、格納媒体から呼び出された命令語により動作が可能な装置であって、例えば、コンピュータであってもよい。一実施例において、機器は、本開示の実施例による検査装置１０であり得る。一実施例において、機器のプロセッサは呼び出された命令語を実行して、機器の構成要素が当該命令語に該当する機能を行うようにすることができる。一実施例において、プロセッサは、本開示の実施例によるプロセッサ１１０であり得る。格納媒体は、機器により読み取られ得る、データが格納される全種類の記録媒体（ｒｅｃｏｒｄｉｎｇ  ｍｅｄｉｕｍ）を意味することができる。格納媒体は、例えば、ＲＯＭ、ＲＡＭ、ＣＤ−ＲＯＭ、磁気テープ、フロッピー（登録商標）ディスク、光データ格納装置などを含むことができる。一実施例において、格納媒体はメモリ１２０であり得る。一実施例において、格納媒体は、ネットワークに連結されたコンピュータシステムなどに分散した形態で具現されることもできる。ソフトウェアは、コンピュータシステムなどに分散して格納され、実行されることができる。格納媒体は、非一時的（ｎｏｎ−ｔｒａｎｓｉｔｏｒｙ）格納媒体であってもよい。非一時的格納媒体は、データが半永久的または臨時的に格納されることと関係なく実在する媒体（ｔａｎｇｉｂｌｅ  ｍｅｄｉｕｍ）を意味し、一時的（ｔｒａｎｓｉｔｏｒｙ）に伝播される信号（ｓｉｇｎａｌ）を含まない。
【０１３１】
以上、多様な実施例により本開示の技術的思想が説明されたものの、本開示の技術的思想は、本開示が属する技術分野で通常の知識を有する者が理解できる範囲でなされ得る多様な置換、変形及び変更を含む。また、そのような置換、変形及び変更は、添付の請求の範囲内に含まれ得るものとして理解されるべきである。
【符号の説明】
【０１３２】
１１０  プロセッサ
１５０  光源
１６０  光感知器
【図１】
2019101038.tif 000003
【図２】
2019101038.tif 000004
【図３】
2019101038.tif 000005
【図４】
2019101038.tif 000006
【図５】
2019101038.tif 000007
【図６】
2019101038.tif 000008
【図７】
2019101038.tif 000009
【図８】
2019101038.tif 000010
【図９】
2019101038.tif 000011
【図１０】
2019101038.tif 000012
【図１１】
2019101038.tif 000013
【図１２】
2019101038.tif 000014
【図１３】
2019101038.tif 000015